(57)【要約】      （修正有）【課題】製作が容易で美観上も優れた装身具を提供する。【解決手段】平面視円形乃至楕円形又はハート形の宝石１と、宝石１のガードル３を嵌め込む嵌着溝４を内面に有し宝石１を包囲状に保持する弯曲帯板状の枠体２とを備えている。装身具によれば、従来に比べて製作にかかる作業工程が少なくて済み、製作時間を短縮できる。また、単純な構造で巧妙にバネ付勢力を活用して、高度な職人技術を必要とすることなく、確実かつ容易に宝石を保持でき、かつ、斬新で美観に優れた装身具を容易に製作できる。さらに、宝石の大きさ・形状が少々相違していても、枠体を共通して使用でき、製造コストを低く抑えることができる。【選択図】図１
0003157465.tif 000002
【実用新案登録請求の範囲】
【請求項１】
平面視円形乃至楕円形又はハート形の宝石（１）と、該宝石（１）のガードル（３）を嵌め込む嵌着溝（４）を内面に有し該宝石（１）を包囲状に保持する弯曲帯板状の枠体（２）と、を備えたことを特徴とする装身具。
【請求項２】
上記枠体（２）は、開口部（７）を有する平面視略Ｃ字状の宝石外嵌部（２ａ）と、該宝石外嵌部（２ａ）の上記開口部（７）を形成する両端部（６）（６）から略平行状に突設した一対の突出片（２ｂ）（２ｂ）とを、備え、
該宝石外嵌部（２ａ）は、該開口部（７）を閉方向に弾発付勢するバネ付勢力（Ｆ）をもって上記宝石（１）を保持している請求項１記載の装身具。
【請求項３】
上記枠体（２）は、一対の上記突出片（２ｂ）（２ｂ）に、夫々丸孔部（８ａ）と細溝部（８ｂ）とから成る鍵孔状の貫通孔（８）を有し、該丸孔部（８ａ）（８ａ）に短寸の連珠チェーン（５）を挿通し、上記細溝部（８ｂ）（８ｂ）に掛止して、上記突出片（２ｂ）（２ｂ）を連結している請求項１又は２記載の装身具。
【請求項４】
上記連珠チェーン（５）は、上記細溝部（８ｂ）の両脇に形成した非貫通の半凹球状の座ぐり部（９）に係合しつつ張力（Ｔ）をもって上記突出片（２ｂ）（２ｂ）を引き寄せ、かつ、上記突出片（２ｂ）（２ｂ）は、開脚方向に弾発付勢する弾発復元力（Ｑ）をもって上記連珠チェーン（５）を張架して上記座ぐり部（９）に係止している請求項３記載の装身具。
【請求項５】
上記丸孔部（８ａ）に挿通した吊下紐（Ｃ）により上記連珠チェーン（５）の上記細溝部（８ｂ）から上記丸孔部（８ａ）への移動を阻止して、離脱を防止するように構成した請求項３又は４記載の装身具。
【考案の詳細な説明】
【技術分野】
【０００１】
本考案は、装身具に関する。
【背景技術】
【０００２】
従来、宝石を有するペンダント等の装身具は、閉環枠にロウ付けした爪足を折り曲げて宝石を固定する爪留め式や、閉環枠に宝石を着座させて覆輪部をカシメ加工して宝石を固定する伏せ込み式の方法で、宝石を閉環枠に保持固着させていた（特許文献１参照）。
【先行技術文献】
【特許文献】
【０００３】
【特許文献１】特開２００９−２４７６３０号公報
【考案の概要】
【考案が解決しようとする課題】
【０００４】
しかし、従来の装身具は、閉環枠を宝石の形状に合わせて成形する必要があり、制作に時間と技術を要していた。また、閉環枠に微小寸法の爪足をロウ付けする作業や宝石を着座するための台座を形成する作業は、時間がかかる上に高度な職人技術が必要となり制作コストが増大していた。言い換えると、爪足や覆輪部を折り曲げて宝石を固定する作業は、精密で難しい技術が必要となり、製作効率を悪化させていた。
【０００５】
そこで、本考案は、制作が容易で美観上も優れた装身具を提供することを目的とする。
【課題を解決するための手段】
【０００６】
本考案に係る装身具は、平面視円形乃至楕円形又はハート形の宝石と、該宝石のガードルを嵌め込む嵌着溝を内面に有し該宝石を包囲状に保持する弯曲帯板状の枠体と、を備えたものである。
また、上記枠体は、開口部を有する平面視略Ｃ字状の宝石外嵌部と、該宝石外嵌部の上記開口部を形成する両端部から略平行状に突設した一対の突出片とを、備え、該宝石外嵌部は、該開口部を閉方向に弾発付勢するバネ付勢力をもって上記宝石を保持しているものである。
また、上記枠体は、一対の上記突出片に、夫々丸孔部と細溝部とから成る鍵孔状の貫通孔を有し、該丸孔部に短寸の連珠チェーンを挿通し、上記細溝部に掛止して、上記突出片を連結しているものである。
【０００７】
また、上記連珠チェーンは、上記細溝部の両脇に形成した非貫通の半凹球状の座ぐり部に係合しつつ張力をもって上記突出片を引き寄せ、かつ、上記突出片は、開脚方向に弾発付勢する弾発復元力をもって上記連珠チェーンを張架して上記座ぐり部に係止しているものである。
また、上記丸孔部に挿通した吊下紐により上記連珠チェーンの上記細溝部から上記丸孔部への移動を阻止して、離脱を防止するように構成したものである。
【考案の効果】
【０００８】
本考案の装身具によれば、従来に比べて制作にかかる作業工程が少なくて済み、制作時間を短縮できる。また、単純な構造で巧妙にバネ付勢力を活用して、高度な職人技術を必要とすることなく、確実かつ容易に宝石を保持でき、かつ、斬新で美観に優れた装身具を容易に製作できる。さらに、宝石の大きさ・形状が少々相違していても、枠体を共通して使用でき、製造コストを低く抑えることができる。
【図面の簡単な説明】
【０００９】
【図１】本考案の実施の一形態を示した斜視図である。
【図２】装身具を示した平面図である。
【図３】図２のＡ−Ａ断面図である。
【図４】枠体の外面を示した要部拡大図である。
【図５】枠体の内面を示した要部拡大図である。
【図６】座ぐり部を示した要部拡大断面図である。
【考案を実施するための形態】
【００１０】
以下、実施の形態を示す図面に基づき本考案を詳説する。
図１〜図３に示すように、本考案の装身具Ｐは、主にペンダントとして使用され、宝石１と、宝石１のガードル３を嵌め込む嵌着溝４を内面に有し宝石１を包囲状に保持する弯曲帯板状の枠体２と、を備えている。
【００１１】
宝石１は、鉱物から成り、外周縁部のガードル３を平面視円形乃至楕円形に成形されている。なお、図示省略するが、ハート形であっても良い。
図２に示すように、枠体２は、金属製の帯板材から成り、開口部７を有する平面視略Ｃ字状の宝石外嵌部２ａと、宝石外嵌部２ａの開口部７を形成する両端部６，６から略平行状に突設した一対の突出片２ｂ，２ｂとを、一体として備えている。宝石外嵌部２ａの内周縁は、宝石未嵌込状態（自由状態）において、宝石１の外郭よりも僅かに小さくなるように、かつ、内面の嵌着溝４が、ガードル３に隙間無く嵌着するように輪郭を形成している。
【００１２】
枠体２は、宝石外嵌部２ａを自由状態よりも僅かに拡開して、内側に宝石１を挟み込み、開口部７を閉方向に弾発付勢するバネ付勢力Ｆをもって宝石１を押圧して、内面の嵌着溝４にガードル３を係合させて固着している。なお、バネ付勢力Ｆは、枠体２の宝石外嵌部２ａが弾性変形する際に生じる復元力によるものである。
【００１３】
図１〜図３、及び図４、図５に示すように、枠体２は、一対の突出片２ｂ，２ｂに、夫々丸孔部８ａと細溝部（細スリット部）８ｂとから成る鍵孔状の貫通孔８を有し、丸孔部８ａ，８ａに、短寸の連珠チェーン５を挿通し、細溝部８ｂ，８ｂに引き込んで掛止することで、突出片２ｂ，２ｂを連結している。
枠体２は、連珠チェーン５により、宝石外嵌部２ａの内側に挟み込んだ宝石１を自由状態よりも強く締め付けている。連珠チェーン５は、細溝部８ｂの両脇に形成した非貫通の半凹球状の座ぐり部９に係合しつつ張力Ｔをもって突出片２ｂ，２ｂを引き寄せている（図６参照）。
突出片２ｂ，２ｂは、開脚方向に弾発付勢する弾発復元力Ｑをもって連珠チェーン５を架け渡して、座ぐり部９に係止している。なお、弾発復元力Ｑは、枠体２の突出片２ｂ，２ｂが弾性変形する際に生じる復元力によるものである。
【００１４】
貫通孔８は、丸孔部８ａにネックレスチェーンや丸紐や皮紐等の吊下紐Ｃを挿通すると、連珠チェーン５が細溝部８ｂから丸孔部８ａへ移動するのを阻止して、貫通孔８から連珠チェーン５が離脱するのを防止するように構成されている。
このようにして、枠体２から宝石１が不意に外れることがないように確実に固定できる。また、枠体２に宝石１を着脱自在に保持しているともいえる。
【００１５】
上述した本考案の装身具の作用について説明する。
図１〜図３に示すように、枠体２の開口部７を指や小型作業具にて押し広げて、拡開した宝石外嵌部２ａに宝石１を装着する。その後、指又は小型作業具を離せば、宝石外嵌部２ａは、バネ付勢力Ｆをもって宝石１を挟圧し、嵌着溝４からガードル３が離脱しないように、枠体２に宝石１を固着して保持する。枠体２は、嵌着溝４にガードル３を嵌め込んで宝石１を包囲するため、宝石１に光が通り易く、宝石１を十分に輝かせる。
【００１６】
次に、枠体２の突出片２ｂ，２ｂに夫々配設された貫通孔８の丸孔部８ａに、連珠チェーン５を挿通し、突出片２ｂ，２ｂを互いに引き寄せつつ細溝部８ｂ，８ｂに連珠チェーン５を引き込んで、突出片２ｂ，２ｂに連珠チェーン５を張架する。連珠チェーン５は、張力Ｔをもって開口部７を締め付け、宝石１を宝石外嵌部２ａに一層強く固定すると共に、突出片２ｂ，２ｂを連結して枠体２から宝石１が離脱するのを防止する。
突出片２ｂ，２ｂは、連珠チェーン５の張力Ｔに対し、弾発復元力Ｑをもって開口部７を開方向に弾発付勢する。弾発復元力Ｑにより、連珠チェーン５と座ぐり部９とが係合状態で確実に固定され、離脱を防止する。
【００１７】
さらに、貫通孔８の丸孔部８ａに、吊下紐Ｃを挿通し、装身具Ｐを身に付けて使用する際にも、吊下紐Ｃが連珠チェーン５の離脱を阻止しているため、不意に宝石１が外れることがない。
こうして、装身具Ｐは、枠体２に宝石１を確実に保持・固定し、美観にも優れ、かつ、簡単な作業工程のみで制作される。
【００１８】
以上のように、本考案は、平面視円形乃至楕円形又はハート形の宝石１と、宝石１のガードル３を嵌め込む嵌着溝４を内面に有し宝石１を包囲状に保持する弯曲帯板状の枠体２と、を備えたので、従来に比べて制作にかかる作業工程が少なくて済み、制作時間を短縮できる。また、単純な構造で宝石１を保持するため、高度な職人技術を必要とすることなく、確実かつ容易に宝石１を保持でき、かつ、斬新で美観に優れた装身具Ｐを容易に製作できる。さらに、宝石１の大きさ・形状が少々相違していても、枠体２を共通して使用でき、製造コストを低く抑えることができる。
【００１９】
また、枠体２は、開口部７を有する平面視略Ｃ字状の宝石外嵌部２ａと、宝石外嵌部２ａの開口部７を形成する両端部６，６から略平行状に突設した一対の突出片２ｂ，２ｂとを、備え、宝石外嵌部２ａは、開口部７を閉方向に弾発付勢するバネ付勢力Ｆをもって宝石１を保持しているので、ガードル３が嵌着溝４から離脱しないように、巧妙にバネ付勢力Ｆを活用して、宝石１を枠体２に確実に固着して保持できる。
【００２０】
また、枠体２は、一対の突出片２ｂ，２ｂに、夫々丸孔部８ａと細溝部８ｂとから成る鍵孔状の貫通孔８を有し、丸孔部８ａ，８ａに短寸の連珠チェーン５を挿通し、細溝部８ｂ，８ｂに掛止して、突出片２ｂ，２ｂを連結しているので、開口部７を開かないように固定し、枠体２から宝石１が離脱しないようにして一層確実に保持できる。
【００２１】
また、連珠チェーン５は、細溝部８ｂの両脇に形成した非貫通の半凹球状の座ぐり部９に係合しつつ張力Ｔをもって突出片２ｂ，２ｂを引き寄せ、かつ、突出片２ｂ，２ｂは、開脚方向に弾発付勢する弾発復元力Ｑをもって連珠チェーン５を張架して座ぐり部９に係止しているので、張力Ｔをもって開口部７を締め付け、宝石１を一層強く固定できる。また、突出片２ｂ，２ｂの連結状態を確実に保持できる。
【００２２】
また、丸孔部８ａに挿通した吊下紐Ｃにより連珠チェーン５の細溝部８ｂから丸孔部８ａへの移動を阻止して、離脱を防止するように構成したので、不意に宝石１が外れることがなく、枠体２に宝石１を確実に保持・固定できる。
【符号の説明】
【００２３】
１  宝石
２  枠体
２ａ  宝石外嵌部
２ｂ  突出片
３  ガードル
４  嵌着溝
５  連珠チェーン
６  両端部
７  開口部
８  貫通孔
８ａ  丸孔部
８ｂ  細溝部
９  座ぐり部
Ｆ  バネ付勢力
Ｔ  張力
Ｑ  弾発復元力
Ｃ  吊下紐
【図１】
0003157465.tif 000003
【図２】
0003157465.tif 000004
【図３】
0003157465.tif 000005
【図４】
0003157465.tif 000006
【図５】
0003157465.tif 000007
【図６】
0003157465.tif 000008